(57)【要約】    【課題】  グリップ感に優れ、また、使用時に移動フードが破損し難く耐久性に優れたリールシートを提供する。    【解決手段】  このリールシート２は、元竿１の周面に配置されリールＲの脚部を取り付けるためのものである。リールシート２は、リールＲの脚部を載置する載置面１０，載置面１０の軸長方向端部に形成された載置面１０側に向かって開口する固定フード１２を有する略パイプ状部材であり径方向断面が非円形である本体部３を有する。また、固定フード１２に対向して開口するフード部分１５，フード部分１５と共に本体部２を周方向に全周にわたって覆うカバー部分１６を有し本体部２の周面を軸長方向にスライド移動自在な移動フード部４を有する。【選択図】      図１
2005261212.tif 000002
【特許請求の範囲】
【請求項１】
竿体の周面に配置されリールの脚部を取り付けるためのリールシートであって、
前記リールの脚部を載置する載置面，及び前記載置面の軸長方向端部に形成された前記載置面側に向かって開口する固定フードを有し前記竿体の周面に固定される略パイプ状部材でありその径方向断面が非円形である本体部と、
前記固定フードに対向して開口するフード部分，及び前記フード部分と共に前記本体部を周方向に全周にわたって覆うカバー部分を有し前記本体部の周面を軸長方向にスライド移動自在な移動フード部と、
前記移動フード部を任意の軸長方向位置で位置決めするための位置決め手段と、
を備えたリールシート。
【請求項２】
前記本体部の載置面の幅方向中央付近には軸長方向に延びるロック板が配置されており、
前記移動フード部は、前記カバー部分に対して起伏するレバー体と、前記レバー体の起伏操作で前記ロック板に対して係脱する板バネとを有し、前記位置決め手段は前記板バネ及びロック板である、請求項１に記載のリールシート。
【発明の詳細な説明】
【技術分野】
【０００１】
本発明は、本発明は魚釣りに用いる釣竿のリールシートに関する。
【背景技術】
【０００２】
釣竿には、リールを脱着自在に竿体に装着するためのリールシートが取り付けられているものがある。この種の釣竿では、リールシートにリールの脚部を取り付けて、リールからの釣糸を釣糸ガイドで穂先側に案内し、釣りをおこなうことになる。このリールシートには種々のタイプがある。その中で、近時において多く見られるリールシートは、竿体の管状体である竿本体とは別個にパイプ状の成型品からなるリールシートを準備し、これを竿体の所定の位置においてその周面に固定するタイプのものである。
【０００３】
一般に、このタイプのリールシートでは、パイプ状の成型品からなるリールシート本体のリール載置面の幅方向両縁に軸長方向に延びるレール溝（摺動溝）が形成されている。さらに、載置面の一端には固定フードが形成されており、レール溝には移動フードがスライド移動自在に取り付けられている。詳しくは、移動フードの幅方向両端が折り返されてフック状に加工され、この部分がレール溝に噛み合っている（例えば、特許文献１や特許文献２等参照）。
【０００４】
このようなリールシートでは、ユーザはリールの脚部を載置面に載置しつつ脚部の一端を固定フードに差し込み、移動フードをスライド移動させて脚部の他端を覆い、移動フードを位置決めして、リールの脚部を載置面上に固定することになる。
【０００５】
ところで、このようなリールシート付きの釣竿で釣りをおこなうに当たっては、釣人は一方の手でリールシート付近を把持し、他方の手でリール操作を行うのが一般的である。このようにリールシート付近を把持する際に、レール溝がリールシート本体に形成されていると、グリップ感を損なう。また、レール溝には釣り場においてゴミ等が入り込んでしまいやすく、その清掃は煩雑である。さらに、上述のように、移動フードはリールの脚部の他端を覆う部分であり、リール操作の際にリールからの力を直接受ける部分である。即ち、リール操作の際にはリールの脚部にはその幅方向にも大きな力が加わる。このため、リールの脚部を抑えている移動フードにも大きな力が加わり、移動フードのレール溝と噛み合っている部分が変形してしまい、移動フードがレール溝から逸脱してしまう恐れもある。
【特許文献１】特開平05-91830号公報
【特許文献２】特開2002-165536号公報
【発明の開示】
【発明が解決しようとする課題】
【０００６】
本発明は、上記問題点を鑑み、グリップ感に優れ、また、使用時に移動フードが破損し難く耐久性に優れたリールシートを提供するものである。
【課題を解決するための手段】
【０００７】
本発明に係るリールシートは、竿体の周面に配置されリールの脚部を取り付けるためのリールシートであって、リールの脚部を載置する載置面，及び載置面の軸長方向端部に形成された載置面側に向かって開口する固定フードを有し竿体の周面に固定される略パイプ状部材でありその径方向断面が非円形である本体部と、固定フードに対向して開口するフード部分，及びフード部分と共に本体部を周方向に全周にわたって覆うカバー部分を有し本体部の周面を軸長方向にスライド移動自在な移動フード部と、移動フード部を任意の軸長方向位置で位置決めするための位置決め手段とを備えている。
【０００８】
このリールシートの使用手法は、リールの脚部を載置面に載置し、脚部の一端を固定フードに差し込み、移動フード部をスライド移動させて脚部の他端を覆い、位置手段で移動フード部を固定して、リールを取り付ける、というものである。リールをリールシートに取り付けてリール操作等を行う際には、リールの脚部に発生する大きな力がリールの脚部を抑えている移動フード部、特にフード部分にも加わる。このフード部分はカバー部分により覆われており、それ自体はこのカバー部分により本体部に対して軸長方向にスライド移動自在となっている。このため、幅方向に大きな力が加わっても、移動フード部は破損し難い。また、この移動フード部は、本体部の非円形の断面を周方向に全周にわたって覆うことで周方向の回転が規制されつつ、軸長方向にスライド移動自在となっており、レール溝が不要である。リールシート本体部を把持した際の違和感は低減され、また、レール溝がないところ、レール溝へのゴミ詰まりも生じない。
【０００９】
例えば、このようなリールシートの周面とこれを取り付けた竿体の周面とに連続的に塗装を施すことで、レール溝がないこのリールシートでは、釣竿の周面の面一化がさらに進み、意匠性がさらに向上する。
【００１０】
また、本発明のあるリールシートにおいては、本体部の載置面の幅方向中央付近には軸長方向に延びるロック板が配置される。また、移動フード部は、カバー部分に対して起伏するレバー体と、レバー体の起伏操作でロック板に対して係脱する板バネとを有する。そして、位置決め手段はこれら板バネ及びロック板である。
【００１１】
このようなリールシートにおいては、レバー体を起立させて、移動フード部のフード部分をリールの脚部の他端を覆うようにスライド移動させた後に、レバー体を倒伏させ、板バネをロック板に係合させて、移動フード部の軸長方向における位置決めを行う。
【発明の効果】
【００１２】
本発明のリールシートは、グリップ感に優れ、また、使用時に移動フードが破損し難く耐久性にも優れる。
【発明を実施するための最良の形態】
【００１３】
以下、本発明の実施形態について図面を参照しつつ説明する。
図１及び図２に、本発明の１つの実施形態を採用した釣竿の元竿１に装着されたリールシート２を示す。釣竿は、複数の竿体を振出形式若しくは並継形式に連結したものである。各竿体は強化繊維に合成樹脂を含浸させた繊維強化樹脂素材を焼成してなる先細りテーパの施された筒状体である。このような竿体の中でもっとも竿元側に位置する太径の竿体が元竿１である。元竿１には、竿元側端部に尻栓が脱着自在に取り付けられ、釣人が把持するためのグリップが必要に応じてその周面に取り付けられ、さらに、リールシート２が周面に取り付けられている。
【００１４】
リールシート２はリールＲの脚部を脱着自在に装着するためのものであり、本体部３と、移動フード部４とを備えている。
【００１５】
本体部３は、硬質合成樹脂，金属等から構成される部材である。本体部３は、元竿１が貫通しその周面を覆うような略パイプ状のものである。その径方向の断面形状は、図３に示すように非円形である。本体部３は元竿１の周面の所定の軸方向位置に配置され接着剤などにより固定されている。必要に応じて、本体部３の周面と元竿１の周面との段差を解消し、外観上一体と見えるように、両周面に連続的に塗装を施しても良い。
【００１６】
この本体部３には平面部分が周方向の一部において形成されており、ここが載置面１０である。この本体部３においては、載置面は穂先側部分と竿元側部分との２つに別れている。載置面１０の竿元側部分にあっては、その幅方向中央付近に凹部分が形成されている。この凹部分は軸長方向に延びており、この中にロック板１１が収納されている。そして、このロック板１１にはその幅方向に延びる凹溝が軸長方向に配列されることで、凹凸が形成されている。
【００１７】
他方、載置面１０の穂先側部分には固定フード１２が形成されている。固定フード１２は竿元側方向に開口したフード状の部分でありこの中にリールＲの脚部の一端が挿入されることになる。また、本体部３の竿元側（詳しくは、凹溝内に収納されているロック板１１の竿元側付近）の周面には、リング５が脱着自在に装着される。リング５は、後に詳しく説明する移動フード部４の竿元側への係脱を防止するためのストッパであり、元竿１に対して脱着自在に弾性体等から形成される。
【００１８】
移動フード部４は、固定フード１２に対向して開口するフード部分１５と、フード部分１５と共に本体部３を周方向に覆うカバー部分１６を有している。フード部分１５は、例えば、プラスチック等をフード状乃至板状に加工したものであり、リールＲの脚部の他端を覆う部分である。カバー部分１６は金属板（ステンレス，チタン，スチール等）を折り曲げ加工して形成されている。カバー部分１６は、上述のフード部分１５を覆いながら、本体部３を周方向全体にわたって覆う帯状の部分である。このように、本体部３の周面を帯状に覆いながら、カバー部分１６はフード部分１５と共に、本体部３の周面を軸長方向にスライド移動可能となっている。
【００１９】
図４〜図６に詳しく示すように、この移動フード部４のカバー部分１６の周面、詳しくは、フード部分１５を覆っている領域の周面には幅方向に左右一対の軸受け部分が形成されており、ここに、レバー体１７がカバー部分１６に対して起伏自在に連結されている。レバー体１７は、竿元側に幅方向に延びる支軸を有しており、この支軸が上述の軸受け部分にはめ込まれる。また、レバー体１７の支軸に隣接する部分には爪状カム１７ａが形成される。また、この移動フード部４のレバー体１７の支軸の下方（即ち、本体部３側）には板バネ１８が収納されている。板バネ１８はその穂先側端部に幅方向に広がる左右一対の支持翼を有する。この支持翼によって、板バネ１８はカバー部分１６に対して固定されており、その支持翼と反対側を遊動自在にしている。板バネ１８はこの遊動側において、上述のレバー体１７の爪状カム１７ａにより上方から押さえ込まれた状態にある。
【００２０】
そして、レバー体１７をカバー部分１６より起立させると、爪状カム１７ａも起きあがって、板バネ１８の下方への押さえ込みが解除される。他方、レバー体１７をカバー部分１６に対して倒伏させると、爪状カム１７ａが下方に向き、板バネ１８を下方へ押さえ込む。押さえ込まれた板バネ１８は、その遊動側端縁を上述のロック板１１の凹凸に噛み合わせる。
【００２１】
このリールシートの使用手法は、図１に示すように、リールＲの脚部を載置面１０に載置し、その脚部の一端を固定フード１２に差し込み、レバー体１７を起立させた状態で移動フード部４をスライド移動させて脚部の他端を覆う。そして、レバー体１７を倒伏させて板バネ１８をロック板１１に噛み合わせ、移動フード部４を軸長方向の所定の位置に固定する。
【００２２】
リールＲをリールシートに取り付けてリール操作等を行う際には、リールＲの脚部に発生する大きな力がリールＲの脚部を抑えている移動フード部４、特にそのフード部分１５にも加わる。このフード部分１５はカバー部分１６により覆われており、幅方向に大きな力が加わっても、カバー部分１６がフード部分１５の破損を防止している。また、従来のリールシートのように、移動フード部４がレール溝に噛み合わされているものではなく、移動フード部４が本体部３から外れてしまうこともない。さらに、このようなレール溝のない本体部３においては、本体部３を把持した際の違和感は低減され、また、レール溝がないところ、レール溝へのゴミ詰まりも生じない。
【図面の簡単な説明】
【００２３】
【図１】本発明の１つの実施形態を採用したリールシート２を示した図。
【図２】図１のリールシート２の上面図。
【図３】図１のIII-III断面図。
【図４】移動フード部４の動作を示した図。
【図５】移動フード部４の参考図。
【図６】図５の移動フード部４のレバー体１７付近の参考図。
【符号の説明】
【００２４】
１  元竿（竿体）
２  リールシート
３  本体部
４  移動フード部
１０  載置面
１１  ロック板
１２  固定フード
１５  フード部分
１６  カバー部分
１７  レバー体
１８  板バネ
【図１】
2005261212.tif 000003
【図２】
2005261212.tif 000004
【図３】
2005261212.tif 000005
【図４】
2005261212.tif 000006
【図５】
2005261212.tif 000007
【図６】
2005261212.tif 000008